(57)【要約】【課題】取付作業及び取外作業が必要な固定部材を用いずに、走査体を容易に固定することができる。【解決手段】上面が開口した筐体と、筐体の内部に設けられ走査方向に移動する走査体４８、５０と、を備えた画像読取装置であって、走査体４８、５０には係止部５６、５８、６４、６６が形成され、筐体にはロック部材７２が回転可能に設けられ、ロック部材７２を回転させることによって、ロック部材７２に係止部５６、５８、６４、６６を係止させて走査体４８、５０を固定する構成とした。【選択図】      図４
2005210391.tif 000002
【特許請求の範囲】
【請求項１】
上面が開口した筐体と、前記筐体の内部に設けられ走査方向に移動する走査体と、を備えた画像読取装置であって、
前記走査体には係止部が形成され、前記筐体にはロック部材が回転可能に設けられ、
前記ロック部材を回転させることによって、前記ロック部材に前記係止部を係止させて前記走査体を固定することを特徴とする画像読取装置。
【請求項２】
前記ロック部材には、前記係止部が挿入される挿入穴が形成され、
前記挿入穴に前記係止部を挿入し、前記ロック部材を回転させることによって、前記ロック部材に前記係止部を係止させて前記走査体を固定することを特徴とする請求項１に記載の画像読取装置。
【請求項３】
前記ロック部材には、前記筐体の開口側から操作可能なレバー部が形成されていることを特徴とする請求項１又は２に記載の画像読取装置。
【請求項４】
前記ロック部材は前記走査体の走査領域の外側に配置されていることを特徴とする請求項１乃至３のいずれか1項に記載の画像読取装置。
【請求項５】
前記走査体は、走査方向に移動しながら原稿に光を照射し原稿からの反射光を所定方向に反射させる第１走査体と、前記第１走査体に追従して移動し前記第１走査体からの反射光を撮像手段に導く第２走査体と、で構成されており、
前記第１走査体には、第1係止部が形成され、
前記第２走査体には、第２係止部が形成され、
前記挿入穴は、前記第1係止部が挿入される第１挿入穴と、前記第２係止部が挿入される第２挿入穴と、で構成されていることを特徴とする請求項２乃至４のいずれか1項に記載の画像読取装置。
【発明の詳細な説明】
【技術分野】
【０００１】
本発明は、輸送時等に走査体を容易に固定することが可能な画像読取装置に関する。
【背景技術】
【０００２】
従来のスキャナ等の画像読取装置は、上面が開口した箱型の筐体を備えている。また、筐体の上面には、プラテンガラスが配置されている。また、筐体の内部には、プラテンガラスの下面に沿って走査方向に移動可能となるように走査体が配置されている。この走査体は、光源とミラーとを備えている。光源からプラテンガラス上に載置された原稿に照射された光は、原稿で反射されてこの反射光がミラーによりさらに反射される。ミラーで反射された反射光は、レンズを介してＣＣＤ基盤に結像され、原稿の画像が読み取られる。
【０００３】
ここで、画像読取装置を輸送等する場合には、輸送中に走査体が移動し筐体の内部に接触することで走査体又は筐体が破損や変形することを防止するため、走査体を固定することが一般的である。従来では、輸送時専用の固定部材を別途用いて走査体を筐体に固定することが行われていた。（下記特許文献１参照）
【特許文献１】特開２００１−１３３９０５号公報
【特許文献２】特開平１０−３０４１４１号公報
【発明の開示】
【発明が解決しようとする課題】
【０００４】
しかしながら、上記の走査体の固定方法では、工場での画像読取装置の製造後に固定部材を取り付けて走査体を固定する取付作業と、輸送後に設置者が画像読取装置から固定部材を取り外す取外作業が必要であった。
【０００５】
そこで、本発明は、上記事情を考慮し、取付作業及び取外作業が必要な固定部材を用いずに、走査体を容易に固定することができる画像読取装置を提供することを目的とする。
【課題を解決するための手段】
【０００６】
請求項１に記載の発明は、上面が開口した筐体と、前記筐体の内部に設けられ走査方向に移動する走査体と、を備えた画像読取装置であって、前記走査体には係止部が形成され、前記筐体にはロック部材が回転可能に設けられ、前記ロック部材を回転させることによって、前記ロック部材に前記係止部を係止させて前記走査体を固定することを特徴とする。
【０００７】
請求項１に記載の発明よれば、画像読取装置を輸送する場合には、画像読取装置の走査体を輸送時の固定位置まで退避させる。この状態で、予め筐体内に備えたロック部材を回転させる。回転したロック部材に走査体の係止部が係止され、走査体が筐体に固定される。これによって、取付作業及び取外作業が必要な固定部材を用いずに、ロック部材の回転操作のみで走査体を容易に固定できる。
【０００８】
請求項２に記載の発明は、請求項１に記載の画像読取装置において、前記ロック部材には前記係止部が挿入される挿入穴が形成され、前記挿入穴に前記係止部を挿入し、前記ロック部材を回転させることによって、前記ロック部材に前記係止部を係止させて前記走査体を固定することを特徴とする。
【０００９】
請求項２に記載の発明よれば、画像読取装置を輸送する場合には、ロック部材の挿入穴に走査体の係止部を挿入し、ロック部材を回転させる。これにより、ロック部材に係止部が係止され、走査体が筐体に固定される。このように、ロック部材に挿入孔を形成するだけで走査体を確実に固定することができる。この結果、ロック部材の構成を簡素化でき、低コストを実現できる。
【００１０】
請求項３に記載の発明は、請求項１又は２に記載の画像読取装置において、前記ロック部材には、前記筐体の開口側から操作可能なレバー部が形成されていることを特徴とする
【００１１】
請求項３に記載の発明よれば、ロック部材の回転は、筐体の開口側からレバー部を操作して行われる。これにより、筐体を分解等せずに容易にロック部材を回転させることができる。
【００１２】
請求項４に記載の発明は、請求項１乃至３のいずれか1項に記載の画像読取装置おいて、前記ロック部材は前記走査体の走査領域の外側に配置されていることを特徴とする。
【００１３】
請求項４に記載の発明よれば、ロック部材は、走査領域の外側の位置に配置されているため、通常の走査ではロック部材が走査体に接触せず、走査体又はロック部材の破損を防止することができる。
【００１４】
請求項５に記載の発明は、請求項２乃至４のいずれか1項に記載の画像読取装置おいて、前記走査体は、走査方向に移動しながら原稿に光を照射し原稿からの反射光を所定方向に反射させる第１走査体と、前記第１走査体に追従して移動し前記第１走査体からの反射光を撮像手段に導く第２走査体と、で構成されており、前記第１走査体には第1係止部が形成され、前記第２走査体には第２係止部が形成され、前記挿入穴は、前記第1係止部が挿入される第１挿入穴と、前記第２係止部が挿入される第２挿入穴と、で構成されていることを特徴とする。
【００１５】
請求項５に記載の発明よれば、第１走査体の第1係止部をロック部材の第１挿入穴に挿入させる。また、第２走査体の第２係止部をロック部材の第２挿入穴に挿入させる。この状態でロック部材を回転させることによって、ロック部材に第1係止部及び第２係止部を係止させ、第１走査体と第２走査体が同時に筐体に固定される。
【発明の効果】
【００１６】
請求項１に記載の発明は、予め筐体内に備えたロック部材を回転させて走査体を筐体に固定することにより、取付作業及び取外作業が必要な固定部材を用いずに、ロック部材の回転操作のみで走査体を容易に固定できる。
【００１７】
請求項２に記載の発明は、ロック部材の挿入穴に走査体の係止部を挿入し、ロック部材を回転させることにより、走査体を筐体に固定することができる。このため、ロック部材に挿入孔を形成するだけで走査体を確実に固定することができ、ロック部材の構成を簡素化でき、低コストを実現できる。
【００１８】
請求項３に記載の発明は、筐体の開口側からレバーを操作してロック部材の回転を行うことにより、筐体を分解等せずに容易にロック部材を回転させることができる。
【００１９】
請求項４に記載の発明は、ロック部材は走査領域の外側の位置に配置されているため、通常の走査ではロック部材が走査体に接触せず、走査体又はロック部材の破損を防止することができる。
【００２０】
請求項５に記載の発明は、第１走査体の第1係止部をロック部材の第１挿入穴に挿入させ、第２走査体の第２係止部をロック部材の第２挿入穴に挿入させ、この状態でロック部材を回転させることによって、第１走査体と第２走査体を同時に筐体に固定することができる。
【発明を実施するための最良の形態】
【００２１】
次に、本発明の一実施形態に係る画像読取装置１０について、図面を参照して説明する。
図１及び図２に示すように、画像読取装置１０は、上面が開口した箱型の筐体１２を備えている。この筐体１２の上面１４には、プラテンガラス１６が配置されている。筐体１２の内部１８には、後述の走査体２０をガイドするためのガイドフレーム２２、２４がプラテンガラス１６に対して略平行に配置されている。
【００２２】
筐体１２の一方の筐体壁１７の近傍には、ステッピングモータ２６が配置されている。ステッピングモータ２６には、ステッピングモータ２６の回転速度を減速するための減速機構２８が接続されている。減速機構２８には、駆動軸３０が接続されている。駆動軸３０の両端には、駆動プーリ３２、３４がそれぞれ固定されている。また、筐体１２の他方の筐体壁１９の近傍には、無駆動プーリ３６、３８が回転可能に設けられている。駆動プーリ３２、３４及び無駆動プーリ３６、３８には、ベルト４０、４２と副ベルト４４、４６とがそれぞれ掛け渡されている。さらに、ベルト４０、４２の一部が後述の第１走査体４８（走査体）に接続されている。また、副ベルト４４、４６の一部が後述の第２走査体５０（走査体）に接続されている。
【００２３】
図１に示すように、走査体２０は、原稿Ｐに光を照射し原稿Ｐからの反射光を第２走査体５０に向けて反射させる第１走査体４８と、第１走査体４８から受光した反射光を後述のレンズ８０に導く第２走査体５０と、で構成されている。
【００２４】
図１及び図３に示すように、第１走査体４８は、走査方向（図２中矢印Ｘ方向側）に移動可能となるように配置されている。第１走査体４８は、原稿Ｐに光を照射する光源５２と、原稿Ｐから反射された反射光を第２走査体５０に導くミラー５４と、を備えている。
また、第１走査体４８の幅方向中央部には、走査方向と反対側（図２中矢印Ｙ方向）の端面から突出させた第１係止部本体５６（係止部）が設けられている。
第１係止部本体５６の先端近傍には、走査方向（図２中矢印Ｘ方向）に対して垂直方向に突出した第１突出部５８（係止部）が形成されている。
【００２５】
図１及び図３に示すように、第２走査体５０は、第１走査体４８から受光した反射光を後述のレンズ８０に導く反射ミラー６０、６２を備えている。また、第２走査体５０の幅方向中央部には、第１係止部本体５６と同様に突出させた第２係止部本体６４（係止部）が設けられている。第２係止部本体６４の先端部近傍には、第１突出部５８と同形状でかつ第１突出部５８と同方向に突出させた第２突出部６６（係止部）が形成されている。
【００２６】
図１及び図２に示すように、第１走査体４８及び第２走査体５０の走査領域の外側には、走査方向（図２中矢印Ｘ方向）と略垂直方向に延びるフレーム６８が配置されている。
図３乃至図５に示すように、フレーム６８には、回転軸７０を中心として回動可能にロック部材７２が設けられている。
ロック部材７２は、全体として扇形の板状部材であり、第１係止部本体５６が挿入される第１挿入穴７４が形成されている。また、第２係止部本体６４が挿入される第２挿入穴７６が形成されている。
また、ロック部材７２の側面には、レバー７８（レバー部）が形成されている。
【００２７】
また、図１に示すように、筐体１２には、第２走査体５０から受光した反射光を集光するレンズ８０が配置されている。また、レンズ８０の近傍には、レンズ８０で集光した反射光を受光し光信号を電気信号に変換させるＣＣＤ基盤８２（撮像手段）が設けられている。
【００２８】
次に、本発明の一実施形態に係る画像読取装置１０の作用について説明する。
【００２９】
上記画像読取装置１０によれば、ステッピングモータ２６によって減速機構を介して駆動軸３０を回転させる。この駆動軸３０の回転により駆動プーリ３２、３４を介してベルト４０、４２および副ベルト４４、４６に駆動力が伝達される。
各走査体４８、５０は、各ベルト４０、４２、４４、４６により駆動力が伝達されてプラテンガラス１６の下面に沿って走査方向（図２中矢印Ｘ方向）に移動する。このとき、光源５２からプラテンガラス１６に載置された原稿Ｐに向けて照射された光は原稿Ｐで反射され、この反射光が各走査体４８、５０のミラー５４、反射ミラー６０、６２を介してレンズ８０に導かれる。レンズ８０で集光された反射光はＣＣＤ基盤８２に入射し、ＣＣＤ基盤８２において光信号が電気信号に変換される。これにより原稿Ｐの画像が読み取られる。
【００３０】
ここで、図３及び図４示すように、この画像読取装置１０を輸送する場合には、筐体１２の開口側からレバー７８を操作して、第１係止部本体５６が第1挿入穴７４に挿入可能となり、かつ第２係止部本体６４が第２挿入穴７６に挿入可能となる位置にロック部材７２を回動させる。
次に、第１走査体４８及び第２走査体５０を輸送時の固定位置（各走査体４８、５０の走査領域の外側）に移動させ、ロック部材７２の第１挿入穴７４及び第２挿入穴７６に、第１係止部本体５６及び第２係止部本体６４をそれぞれ挿入させる。
さらに、第１係止部本体５６を第1挿入穴７４に、第２係止部本体６４を第２挿入穴７６に挿入させた後、ロック部材７２をロック方向（図３中矢印Ｒ方向）に回動させる。
これにより、図４に示すように、第１突出部５８及び第２突出部６６がロック部材７２にそれぞれ接触することで、第１走査体４８及び第２走査体５０の走査方向（図３中矢印Ｘ方向）の移動が規制される。
このように、取付作業が必要な固定部材を用いず、ロック部材７２の回転操作のみで各走査体４８、５０を同時に筐体１２に固定することができる。
特に、ロック部材７２を各走査体４８、５０の走査領域の外側に配置させているため、通常の走査ではロック部材７２が各走査体４８、５０に接触することはなく、走査体４８、５０及びロック部材７２が破損することを防止できる。
【００３１】
一方、図３及び図４に示すように、画像読取装置１０を使用可能な状態にする場合には、筐体１２の開口側からレバー７８を操作して、第1突出部５８及び第２突出部６６がロック部材７２に接触しない位置までロック部材７２をロック方向と反対方向（図４中矢印Ｑ方向）に回動させる。
次に、第１走査体４８及び第２走査体５０を走査開始位置に移動させると、ロック部材７２の第１挿入穴７４及び第２挿入穴７６から第１係止部本体５６及び第２係止部本体６４がそれぞれ抜き出される。
これによって、各走査体４８、５０の筐体１２への固定は解除され、各走査体４８、５０が走査可能となり、画像読取装置１０が使用可能な状態となる。
このように、取外作業が必要な固定部材を用いず、ロック部材７２の回転操作のみで各走査体４８、５０の固定を容易に解除することができる。
特に、ロック解除時においても、筐体１２の開口側からレバー７８を操作してロック部材７２を回転させることにより、筐体１２を分解等せずに容易にロック部材７２を回転させることができる。
また、ロック部材７２に第１挿入穴７４及び第２挿入穴７６を形成するだけで、各走査体４８、５０をロックさせることが可能となるため、ロック部材７２の構成を簡素化することができ、低コストを実現することができる。
【００３２】
なお、上記実施形態の画像読取装置１０では、ロック部材７２のレバー７８をロック部材７２の側面に形成された構成を例にとり説明したが、これに限られることはなく、レバー７８の形成位置を適宜変更してもよい。
また、各走査体４８、５０の数に応じて、各挿入穴７４、７６の数を適宜増減させても良い。
【図面の簡単な説明】
【００３３】
【図１】本発明の一実施形態に係る画像読取装置の側面図である。
【図２】本発明の一実施形態に係る画像読取装置内部の斜視図である。
【図３】本発明の一実施形態に係る画像読取装置の部分的な斜視図である。
【図４】本発明の一実施形態に係る画像読取装置の部分的な斜視図である。
【図５】本発明の一実施形態に係る画像読取装置の部分的な断面図である。
【符号の説明】
【００３４】
１０  画像読取装置
１２  筐体
２０  走査体
４８  第１走査体（走査体）
５０  第２走査体（走査体）
５６  第１係止部本体（係止部、第１係止部）
５８  第１突出部（係止部、第１係止部）
６４  第２係止部本体（係止部、第２係止部）
６６  第２突出部（係止部、第２係止部）
７２  ロック部材
７４  第１挿入穴（挿入穴）
７６  第２挿入穴（挿入穴）
７８  レバー（レバー部）
８２  ＣＣＤ基盤（撮像手段）
【図１】
2005210391.tif 000003
【図２】
2005210391.tif 000004
【図３】
2005210391.tif 000005
【図４】
2005210391.tif 000006
【図５】
2005210391.tif 000007